(57)【特許請求の範囲】
【請求項１】
両側板の前端に横幅が側板厚よりも長い柱脚板を夫々固着すると共に、該両柱脚板の上端部間に幕板を架設して、両側板と両柱脚板と幕板とで前面が略門形となるキャビネットを構成し、キャビネット上端にカウンターを載置固定し、キャビネットの略前半部に少なくとも前方開口と下方開口とを有する凹空所を形成し、両側板の前後方向略中央の内側面間に開閉自在な扉を取り付け、両側板の幕板背方の内側面間に前補強桟を架設し、両側板の後端部間に後補強桟を架設し、両側板の扉下端部背方の内側面間に底補強桟を架設して成ることを特徴とする洗面化粧台。
【請求項２】
柱脚板の内側端が側板の内側面の略延長面上に位置するように柱脚板を側板に固着して成ることを特徴とする請求項１記載の洗面化粧台。
【請求項３】
側板の外側方で且つ該側板に固着した柱脚板の背方に位置する空間を配管を配設する配管スペースとし、上記側板にキャビネット内と配管スペースとを連通する配管点検用の点検窓を開口すると共に、点検窓を閉塞する開閉自在な点検窓扉を設けて成ることを特徴とする請求項１または２記載の洗面化粧台。
【請求項４】
扉上端の上方に、前方よりキャビネットに手を挿し入れて扉上端を掴んで扉を幕板よりも前方に開くことを可能とする幕板前面側から扉背面側に連通する手の挿入スペースを形成して成ることを特徴とする請求項１記載の洗面化粧台。
【発明の詳細な説明】
【０００１】
【発明の属する技術分野】
本発明は、キャビネットの上端にカウンターを載置固定する洗面化粧台に関するものである。
【０００２】
【従来の技術】
従来より、洗面所や脱衣室等の部屋に設置される洗面化粧台は、前記部屋の床面上に配置するキャビネット部と、このキャビネット部上に載置固定するカウンターとからなり、キャビネット部は、床面上に設置される台枠と、台枠上に配置される底板と、底板の外周の端縁より上方に向けて連設される背板及び両側の側板と、両側の側板の前端縁に取り付けられる扉とで構成される。
【０００３】
床面上に設置される台枠は、平面視ロ字状をしており、台枠上には底板が載置固定される。底板は、平面形状が台枠の外郭よりも若干大きい矩形状をしており、平面視で底板内に台枠が収まるように台枠上に載置固定される。底板からは、後端縁より上方に向けて背板を連設すると共に両側端縁より上方に向けて側板をそれぞれ連設してある。背板と両側板とは、背板の両側端縁がそれぞれ側板の後端縁と固定されてあり、これら台枠，底板，背板，両側板とで上部開口及び前部開口を有する略箱状のキャビネット部が構成される。そして、洗面ボールが形成されたカウンターをキャビネット部の上部開口を閉塞するように載置すると共に、前部開口を閉塞するように両側板の前端縁に扉を開閉自在に取り付けるものである。
【０００４】
ところで、人が手を洗ったりするためにカウンターに形成された洗面ボール上方に手を持っていく場合、腕を身体の前方に向けて伸ばすことでバランスが悪くなって身体が前傾になりがちであるため、通常はバランスを取るために身体を奥方、すなわち背方に前進させて、身体の前面部、例えば胸部や腹部や膝部等をカウンターや扉の前面に押し付けたりするもので、特に膝部を扉前面に押し付けたりすることが多い。そうした場合、つま先が扉前面よりも背方に位置していなければ余計にバランスが悪くなってしまうものである。この従来の洗面化粧台においては、高さ位置がつま先とほぼ同じとなる台枠が扉前面よりも若干背方に位置しているため、この扉前面よりも背方で台枠の前方に形成される空所につま先がある程度は入り込めるものの、良好にバランスを取れるまでには至らず、この空所では不充分なものであった。また、例えば車椅子に載った人がカウンターの洗面ボール上方に手を持っていく場合は、車椅子の前半部が扉前面よりも背方へ深く入り込まなければならないが、この空所では到底不可能であった。
【０００５】
以上のようなことから、キャビネット部内の前下部に、つま先は勿論のこと車椅子の前半部が入り込むことのできる凹空所を形成することが望まれるものであった。凹空所は、車椅子の前半部が容易に入り込めるように、凹空所の下端すなわち、凹空所の下方の床面とキャビネット部の前方の床面とが面一となることが望ましいため、上記のような従来の洗面化粧台においては、床面上に設置する台枠と底板とを無くすことが考えられた。このようにすることで、キャビネット部の前面が略門形となって該略門形内の開口の内方（すなわち背方）に車椅子の前半部が容易に入り込むことのできる凹空所を形成することができる。しかし、このようにした場合、洗面化粧台を前方から見ると、前面視略門形をしたキャビネット部の両脚部が側板のみで構成されるのが見えるが、一般的に側板は厚さがそれ程厚くないものであるため、キャビネット部のカウンター支持強度が弱いという印象を与えかねず、洗面化粧台に重厚感を付与して見栄えを良くすることができないものであった。
【０００６】
そこで更に、側板を厚く成形することが考えられるが、この場合、既存の側板の製造ラインを停止して新たな側板の設計や製造ラインの構築を行わなければならず、側板を成形するのに必要な材料も増大し、さらに、厚く成形した側板がより広いスペースを占めることとなって該側板が占めるスペースを利用することができない、といった問題があるものであった。
【０００７】
【発明が解決しようとする課題】
本発明は上記の点に鑑みてなされたものであり、その目的とするところは、床面上に載置されるキャビネットの前面を略門形として該略門形内の開口内方に車椅子等が容易に入り込むことのできる凹空所を形成すると共に、洗面化粧台に重厚感を付与して見栄えの良い洗面化粧台を提供することを課題とするものである。
【０００８】
【課題を解決するための手段】
上記課題を解決するために本発明に係る洗面化粧台は、両側板１の前端１ａに横幅が側板厚ｔよりも長い柱脚板２を夫々固着すると共に、該両柱脚板２の上端部間に幕板３を架設して、両側板１と両柱脚板２と幕板３とで前面が略門形となるキャビネット４を構成し、キャビネット４上端にカウンター５を載置固定し、キャビネット４の略前半部に少なくとも前方開口と下方開口とを有する凹空所６１を形成して成ることを特徴とするものである。このような構成とすることで、キャビネット４の前面を略門形として該略門形内の開口内方に車椅子等が容易に入り込むことのできる凹空所６１を形成することができると共に、両側板１の前端１ａに横幅が側板１厚よりも長い柱脚板２を固着すると共に該両柱脚板２の上端部間に幕板３を架設することで、キャビネット４のカウンター５支持強度が強いという印象を与えて、洗面化粧台に重厚感を付与して見栄えを良くすることができるものである。
【０００９】
また、両側板１の前後方向略中央の内側面１１間に開閉自在な扉７を取り付けたので、扉７の背方側をキャビネット４前方側から見えなくすることができる。
【００１０】
また、両側板１の幕板３背方の内側面１１間に前補強桟４１を架設し、両側板１の後端部間に後補強桟４２を架設し、両側板１の扉７の下端部背方の内側面１１間に底補強桟４３を架設したので、キャビネット４を補強することができる。
【００１１】
また、柱脚板の内側端２ａが側板１の内側面１１の略延長面上に位置するように柱脚板２を側板１に固着することが好ましい。このような構成とすることで、キャビネット４内側に柱脚板の内側端２ａが突出することがなく、つま先を引っ掛けたりするのを防止することができる。
【００１２】
また、側板１の外側方で且つ該側板１に固着した柱脚板２の背方に位置する空間を配管８を配設する配管スペース６２とし、上記側板１にキャビネット４内と配管スペース６２とを連通する配管８点検用の点検窓１２を開口すると共に、点検窓１２を閉塞する開閉自在な点検窓扉１３を設けることが好ましい。このような構成とすることで、デッドスペースとなりがちなスペースを配管スペース６２として配管８を配設したりすることができ、さらに、配管８を点検したりする際にこの点検窓扉１３を開くことでキャビネット４内側から容易に配管スペース６２に配設してある配管８を点検することができる。
【００１３】
また、扉上端７ａの上方に、前方よりキャビネット４に手を挿し入れて扉上端７ａを掴んで扉７を幕板３よりも前方に開くことを可能とする幕板３前面側から扉７の背面側に連通する手の挿入スペース６３を形成することが好ましい。このような構成とすることで、扉上端７ａを掴んだ手が扉７と幕板３との間に挟まることなく扉７を幕板３よりも前方にまで開くことができる。
【００１４】
【発明の実施の形態】
以下、本発明を添付図面に示す実施形態に基づいて説明する。
【００１５】
本発明における洗面化粧台は、洗面所や脱衣室等の部屋の床面上に配置されるキャビネット４と、キャビネット４上に載置固定するカウンター５とからなる。
【００１６】
キャビネット４は、両側に配置される側板１と、両側板１の前端１ａ部にそれぞれ固着する柱脚板２と、両柱脚板２の上端部間に架設する幕板３とで構成されるもので、本実施形態においてはさらに、両側板１間に前補強桟４１，後補強桟４２，底補強桟４３，を架設すると共に両側板１の後端部間に背板４４を架設してキャビネット４の補強を図り、また、両側板１の内側面１１間に扉７を取り付けて、扉７の背方の配管８を洗面化粧台の前面より見えなくしたりするものである。
【００１７】
キャビネット４の両側に配置される側板１はそれぞれ、側面視矩形状で且つ前面視での横幅すなわち、側板厚がｔとなっている。両側板１の内側面１１後端部には、前面視矩形状をした背板４４の側端部がビス及びタッカーにて固定されてあり、これら平面視コ字形を為す両側板１と背板４４との下端が床面上に設置され、後述するカウンター５を支持するものとなる。また、両側板１の前端１ａには、横幅ｗが側板厚ｔよりも長い柱脚板２をねじで固着してある。但しこの時、柱脚板の内側端２ａが側板１の内側面１１の略延長面上に位置するように固着するものであり、このようにすることで、キャビネット４を前方より見た場合、柱脚板２を厚さｗの側板１のように見せることができると共に、柱脚板２の背方で且つ側板１の外側方に空間が形成されて該空間を後述する配管スペース６２とすることができる。さらにこれに伴って、該配管スペース６２とキャビネット４内とを連通する開口を側板１に形成してこれを後述する点検窓１２とすると共に、点検窓１２を閉塞する点検窓扉１３を側板１にビスにて着脱自在に、すなわち開閉自在に取り付けてある。また、両柱脚板２の上端部間にはダボにて幕板３を架設してあり、これら柱脚板２と幕板３とによって、洗面化粧台に重厚感を付与して見栄え良くすることができる。さらに、両側板１には、幕板３背方の内側面１１間に前補強桟４１を、後端部内側面１１間に上下に二本の後補強桟４２を、前後方向略中央の下端部内側面１１間に底補強桟４３をそれぞれダボにて架設してあり、キャビネット４を補強している。また、前補強桟４１はダボにて背方側より幕板３にも固着されると共に、後補強桟４２はビス及びタッカーにて前方側より背板４４にも固着されて、更に強固にキャビネット４を補強している。また、底補強桟４３のすぐ前方の両側板１の内側面１１間には、前方に開くことのできる開閉自在な扉７が取り付けてある。この扉７は、扉上端７ａが幕板３の下端３ａよりも１００ｍｍ乃至１５０ｍｍ（図中のｈ）下方に位置するようにして、手の挿入スペース６３を形成してある。このようにすることで、幕板３の前方側より幕板３下端の下側からキャビネット４内に手を挿し入れ、扉上端７ａを手で掴んで扉７を前方に引くことで、手が扉７と幕板３とに挟まれたりすることなく扉７を幕板３よりも前方に開くことができる。そして更に、両側板１の上端部にはそれぞれ前後方向二箇所に、カウンター５を固定するための略Ｌ形の固定具９３がビスにて固着してある。
【００１８】
カウンター５は、前後方向長さがキャビネット４の側板１の前後方向長さとほぼ同じであると共に、左右方向長さが側板１に固着された両脚注板の外側端間とほぼ同じである平面視矩形状のもので、カウンター５のほぼ中央部には略円形の洗面ボール５１が形成してあり、さらに、洗面ボール５１後方には給水用孔５２が穿孔してあると共に、洗面ボール５１底部には排水用孔５３が穿孔してある。給水用孔５２には、下方より後述する給水管８ａの端部を接続して且つ上方に向けて水栓部材５４を取り付け、排水用孔５３には下方より後述する排水管８ｂの端部を接続するものである。また、カウンター５の前端縁からは係止板部５５が垂設してあり、カウンター５を載置する際に幕板３と柱脚板２の上端部に係止されて、さらにこれらの上端部を覆い隠すことができる。また、カウンター５には、側板１に固着してある固定具９３に載置固定するための固定部が設けてあり、固定部にはビス孔が穿孔してある。
【００１９】
このようなカウンター５は、前端縁から垂設した係止板部５５をキャビネット４の幕板３と両柱脚板２の上端部とに被せるようにしながら上方よりキャビネット４に載置すると同時に、キャビネット４の固定部を側板１に固着してある固定具９３にそれぞれ載置して、固定具９３に穿孔してある挿通孔に下方よりビスを挿通させて固定部のビス孔に螺着して固定するものである。このようにすることで、カウンター５の前端縁から垂設した係止板部５５をキャビネット４の幕板３と両側板１とに係止して確実に固定することができ、さらに、係止板部５５によって幕板３と柱脚板２の上端部を覆い隠してこれらが板状のものであることを判らなくして、奥行きに、すなわち背方に長いものであるように見せることができる。
【００２０】
このようにしてキャビネット４上にカウンター５を載置固定した洗面化粧台は、洗面所や脱衣室等の部屋の壁際や隅部の床面上に配置される。本実施形態においては、洗面化粧台の両側と背側とがそれぞれ部屋の内壁面にほぼ当接するように配置されるもので、このとき柱脚板２の背方で且つ側板１の外側方に形成された配管スペース６２は内壁と床面とで開口が全て閉塞されて、キャビネット４の外方からは見えなくなる。そして、洗面化粧台には、給水管８ａと排水管８ｂといった配管８を接続するもので、これは上述したように、給水管８ａの端部をカウンター５の給水用孔５２に下方より接続すると共に、排水管８ｂの端部をカウンター５の洗面ボール５１底部の排水用孔５３に下方より接続するものである。このようにカウンター５の下方、すなわちキャビネット４内側よりカウンター５の給水用孔５２と排水用孔５３とにそれぞれ接続された給水管８ａと排水管８ｂ等の配管８は、上述した点検窓１２を挿通して配管スペース６２へと入っていき、そこから更に内壁や床あるいは天井から部屋外へと導出されるのであるが、この配管８はキャビネット４内かあるいは配管スペース６２内にのみ存在するため、上述したようにキャビネット４外方から配管８が見えず見苦しいといったことがないものである。そして、点検窓１２を閉塞する点検窓扉１３には、給水管８ａと排水管８ｂが挿通するための配管挿通口１３ａをそれぞれ穿孔しておき、これら配管８がキャビネット４内から点検窓１２を挿通して配管スペース６２へと入ることができるようにしながら点検窓１２を閉塞するものである。なお、図中において９４は排水トラップを示す。
【００２１】
以上のような構成とすることで、部屋に配置された洗面化粧台は、そのキャビネット４の前面形状を略門形として該門形内の開口内方に前方及び下方に開口する凹空所６１を形成することができて、凹空所６１の下端すなわち凹空所６１の下方の床面はキャビネット４前方の床面から面一となって段部が存在しないため、つま先が幕板３よりも背方に入り込めるのは勿論のこと、車椅子の前半部等も容易に入り込むことができて、カウンター５が使用し易くなるものであると同時に、両側板１の前端１ａ部にそれぞれ柱脚板２を固着して両柱脚板２の上端部間に幕板３を架設したので、キャビネット４を前方より見た時に柱脚板２を厚さｗの側板１のように見せることができて、キャビネット４のカウンター５支持強度を強く見せて、洗面化粧台に重厚感を付与して見栄えを良くすることができる。また、両側板１の内側面１１間に、上端が幕板３の下端３ａよりも１００ｍｍ乃至１５０ｍｍ下方に位置する部分に前方に開くことのできる扉７が取り付けてあるので、扉７の背方に位置する配管８をキャビネット４前方側から見えなくすることができ、さらに、手の挿入スペース６３を形成することができて、幕板３の前方より幕板３の下端３ａのやや下側を通って手をキャビネット４内に挿し入れて扉上端７ａを手で掴んで扉７を幕板３よりも前方に引くことで、扉上端７ａを掴んだ手が扉７と幕板３との間に挟まることなく扉７を幕板３よりも前方にまで開くことができる。さらに、柱脚板２の内側端２ａが側板１の内側面１１の略延長面上に位置するように柱脚板２を側板１に固着して、側板１の外側方で且つ該側板１に固着した柱脚板２の背方に配管スペース６２を形成したので、デッドスペースとなりがちなスペースに配管８を配設して利用することができるようになり、点検窓１２を閉塞する開閉自在な点検窓扉１３を設けたので、配管８を点検したりする場合にこの点検窓扉１３を開くことでキャビネット４内側から容易に配管スペース６２に配設してある配管８を点検することができる。
【００２２】
【発明の効果】
上記のように本発明の請求項１記載の発明にあっては、両側板の前端に横幅が側板厚よりも長い柱脚板を夫々固着すると共に、該両柱脚板の上端部間に幕板を架設して、両側板と両柱脚板と幕板とで前面が略門形となるキャビネットを構成し、キャビネット上端にカウンターを載置固定し、キャビネットの略前半部に少なくとも前方開口と下方開口とを有する凹空所を形成したので、キャビネット上に載置固定されるカウンターを使用し易くするために、キャビネットの前面を略門形として該略門形内の開口内方に車椅子等が容易に入り込むことのできる凹空所を形成することができると共に、両側板の前端に横幅が側板厚よりも長い柱脚板を固着すると共に該両柱脚板の上端部間に幕板を架設することで、前方から見た時に横幅の広い柱脚でカウンターを支持しているように見え、既存の側板の製造ラインを停止して新たな側板の設計や製造ラインの構築を行うことなく、且つ、側板を成形するのに必要な材料が増大することもなく、且つ、側板を厚く成形することによるデッドスペースの増加もないものでありながら、キャビネットのカウンター支持強度が強いという印象を与えて、洗面化粧台に重厚感を付与して見栄えを良くすることができるものである。
【００２３】
また、両側板の前後方向略中央の内側面間に開閉自在な扉を取り付けたので、扉の背方側をキャビネット前方側から見えなくすることができるものである。
【００２４】
また、両側板の幕板背方の内側面間に前補強桟を架設し、両側板の後端部間に後補強桟を架設し、両側板の扉下端部背方の内側面間に底補強桟を架設したので、キャビネットを補強することができるものである。
【００２５】
また請求項２記載の発明にあっては、上記請求項１記載の発明の効果に加えて柱脚板の内側端が側板の内側面の略延長面上に位置するように柱脚板を側板に固着したので、キャビネット内側に柱脚板の内側端が突出することがなく、つま先を引っ掛けたりするのを防止することができるものである。
【００２６】
また請求項３記載の発明にあっては、上記請求項１または２記載の発明の効果に加えて側板の外側方で且つ該側板に固着した柱脚板の背方に位置する空間を配管を配設する配管スペースとし、上記側板にキャビネット内と配管スペースとを連通する配管点検用の点検窓を開口すると共に、点検窓を閉塞する開閉自在な点検窓扉を設けたので、デッドスペースとなりがちなスペースを配管スペースとして配管を配設したりすることができ、さらに、配管を点検したりする際にこの点検窓扉を開くことでキャビネット内側から容易に配管スペースに配設してある配管を点検することができるものである。
【００２７】
また請求項４記載の発明にあっては、上記請求項１記載の発明の効果に加えて扉上端の上方に、前方よりキャビネットに手を挿し入れて扉上端を掴んで扉を幕板よりも前方に開くことを可能とする幕板前面側から扉背面側に連通する手の挿入スペースを形成したので、扉上端を掴んだ手が扉と幕板との間に挟まることなく扉を幕板よりも前方にまで開くことができるものである。
【図面の簡単な説明】
【図１】本発明の一実施形態のキャビネットの斜視図である。
【図２】同上の柱脚板及び幕板を示し、（ａ）は前面図であり、（ｂ）は平面図である。
【図３】同上の側板と背板と前補強桟，後補強桟，底補強桟と扉を示し、（ａ）は背面図であり、（ｂ）は平面図であり、（ｃ）は側面図であり、（ｄ）は前面図である。
【図４】同上の洗面化粧台を示し、（ａ）は平面図であり、（ｂ）は前面図であり、（ｃ）は側面図である。
【図５】同上の洗面化粧台に配管した状態を示す前面図である。
【図６】同上の洗面化粧台に配管した状態を示す側面図である。
【符号の説明】
１  側板
１ａ  前端
２  柱脚板
３  幕板
４  キャビネット
５  カウンター
６１  凹空所
【図１】
0003743286.tif 000002
【図２】
0003743286.tif 000003
【図３】
0003743286.tif 000004
【図４】
0003743286.tif 000005
【図５】
0003743286.tif 000006
【図６】
0003743286.tif 000007